(57)【要約】【課題】利便性をできるだけ低下させることなく、騒音の発生や耐久性の低下を防止することができる暖房用熱源機を提供する。【解決手段】暖房用熱源機１は、熱交換器１２と、バーナ１１と、コントローラ１７とを備え、暖房用循環路２１，３１に熱媒体を供給する。コントローラ１７は、暖房運転開始から点火遅延時間（１分）を経過した後にバーナ１１を点火させる点火遅延制御（ＳＴＥＰ２，３）を実行し、熱動弁２ｂ，３ｂ，４の閉弁に要する時間よりも短く設定された所定時間（３分）を予め記憶し、暖房運転終了から所定時間（３分）が経過するまでの間に暖房運転が再開される場合には、前記点火遅延制御の実行を禁止すると共に直ちにバーナを点火させる即時点火制御（ＳＴＥＰ６，７，３）を実行する。【選択図】図２
2010281520.tif 000002
【特許請求の範囲】
【請求項１】
熱媒体が流れる熱交換器と、熱交換器を介して熱媒体を加熱するバーナと、バーナの燃焼を制御するコントローラとを備え、熱動弁及び暖房用放熱器が介設される暖房用循環路に熱媒体を供給する暖房用熱源機であって、
コントローラは、暖房運転開始から点火遅延時間を経過した後にバーナを点火させる点火遅延制御を実行し、熱動弁の閉弁に要する時間よりも短く設定された所定時間を予め記憶し、暖房運転終了から前記所定時間が経過するまでの間に暖房運転が再開される場合には、前記点火遅延制御の実行を禁止すると共に直ちにバーナを点火させる即時点火制御を実行することを特徴とする暖房用熱源機。
【発明の詳細な説明】
【技術分野】
【０００１】
本発明は、暖房機に設けられた放熱器に熱媒体を供給する暖房用熱源機に関する。
【背景技術】
【０００２】
従来、熱媒体が流れる熱交換器と、熱交換器を介して熱媒体を加熱するバーナと、バーナの燃焼を制御するコントローラとを備え、熱動弁及び暖房用放熱器が介設される暖房用循環路に熱媒体を供給する暖房用熱源機が知られている（例えば、特許文献１参照）。
【０００３】
特許文献１のものでは、熱交換器に供給される熱媒体の温度を検出する温度検出機構を設け、温度検出機構で検出される熱媒体の温度が所定の凍結温度に達すると、凍結防止運転を開始し、コントローラは、凍結防止運転の開始から点火遅延時間を経過した後にバーナを点火させる点火遅延制御を実行する。これにより、熱動弁が開弁される前に熱交換器を流れる熱媒体が設定温度まで上昇してしまい、加熱された熱媒体が暖房用循環路や放熱器に供給されることなく凍結防止運転が終了することを防止することができる。
【先行技術文献】
【特許文献】
【０００４】
【特許文献１】実用新案登録第２５０５７６７号公報
【発明の概要】
【発明が解決しようとする課題】
【０００５】
上記特許文献１のものは、凍結防止運転開始時のみ点火遅延制御を実行するものであるが、通常の暖房運転開始時においても点火遅延制御を実行し、バイパス路等の詰り等により機内循環量が小さい場合に、熱媒体が沸騰することによる騒音の発生や熱交換器等の部品が高温状態となることによる耐久性の低下を防止することが考えられる。しかしながら、暖房運転を開始する度に点火遅延制御を実行すると、迅速な暖房が妨げられ利便性が著しく低下してしまう。
【０００６】
本発明は、以上の点に鑑み、利便性をできるだけ低下させることなく、騒音の発生や耐久性の低下を防止することができる暖房用熱源機を提供することを目的とする。
【課題を解決するための手段】
【０００７】
上記目的を達成するため、本発明は、熱媒体が流れる熱交換器と、熱交換器を介して熱媒体を加熱するバーナと、バーナの燃焼を制御するコントローラとを備え、熱動弁及び暖房用放熱器が介設される暖房用循環路に熱媒体を供給する暖房用熱源機であって、コントローラは、暖房運転開始から点火遅延時間を経過した後にバーナを点火させる点火遅延制御を実行し、熱動弁の閉弁に要する時間よりも短く設定された所定時間を予め記憶し、暖房運転終了から前記所定時間が経過するまでの間に暖房運転が再開される場合には、前記点火遅延制御の実行を禁止すると共に直ちにバーナを点火させる即時点火制御を実行することを特徴とする。
【０００８】
本発明によれば、コントローラは、暖房運転開始から点火遅延時間を経過した後にバーナを点火させる点火遅延制御を実行するため、バイパス路等の詰りなどにより機内循環量が小さい場合であっても、熱媒体が沸騰することによる騒音の発生や熱交換器等の機器が高温状態となることによる耐久性の低下を防止することができる。
【０００９】
又、コントローラは、暖房運転終了から前記所定時間が経過するまでの間に暖房運転が再開される場合には、前記即時点火制御を実行する。暖房運転終了から前記所定時間が経過するまでは熱動弁は完全に閉弁されていない状態であるため、そのままバーナを点火しても熱媒体の循環流量をある程度確保でき、前記騒音の発生や耐久性の低下を防止できる。そして、暖房運転を開始する度に点火遅延制御を実行するものと比較して、前記所定時間内に運転を再開する場合には直ちにバーナが点火されて迅速な暖房を行うことができ、利便性を向上させることができる。
【図面の簡単な説明】
【００１０】
【図１】本発明の暖房用熱源機の実施形態を示す説明図。
【図２】実施形態の暖房用熱源機の作動を示すフローチャート。
【発明を実施するための形態】
【００１１】
図１に示すように、本発明の実施形態の暖房用熱源機１は、熱媒体としての温水を加熱し暖房用循環路を介して、暖房機としてのパネルヒータ２及び浴室暖房乾燥機３に供給するものである。本実施形態では、暖房用熱源機１、パネルヒータ２、浴室暖房乾燥機３で暖房システムＳを構成する。
【００１２】
暖房用熱源機１は、バーナ１１の燃焼により温水を加熱する熱交換器１２と、熱交換器１２から供給される温水の温度を検出する水温センサ１３と、暖房用循環路の温水を循環させる循環ポンプ１４と、暖房用循環路の温水の膨張を吸収する膨張タンク１５と、熱交換器１２から供給される温水を熱交換器１２に戻すバイパス路１６と、バーナ１１の燃焼を制御するコントローラ１７とを備える。
【００１３】
更に、暖房用熱源機１は、バーナ１１に燃料ガスを供給するガス供給管１８と、ガス供給管１８を開閉する２つのガス電磁弁１８ａ，１８ｂと、バーナ１１への燃料ガスの供給量を調節するガス比例弁１８ｃと、バーナ１１に燃焼用空気を供給する燃焼ファン１９とを備える。
【００１４】
暖房用熱源機１で加熱された温水は、３つのパネルヒータ２の放熱器２ａが並列に介設された第１暖房用循環路２１に供給される。又、暖房用熱源機１で加熱された温水は、第１暖房用循環路２１から分岐し、浴室暖房乾燥機３の放熱器３ａが介設された第２暖房用循環路３１にも供給される。各暖房用循環路２１，３１から戻った温水は熱交換器１２で再び加熱されて各暖房用循環路２１，３１に供給される。
【００１５】
第１暖房用循環路２１には、コントローラ１７で開閉制御される３つの熱動弁４がパネルヒータ２に対応させて夫々介設されている。又、第２暖房用循環路３１には、浴室暖房乾燥機３のコントローラ（図示省略）で開閉制御される熱動弁３ｂが介設されている。又、個々のパネルヒータ２にも、パネルヒータ２用のコントローラ（図示省略）で開閉制御される熱動弁２ｂが設けられている。
【００１６】
熱動弁２ｂ，３ｂ，４は、ワックスエレメント等の熱膨張体（図示省略）の膨張／収縮により開閉する弁体（図示省略）と、熱膨張体を加熱するヒータ（図時省略）とを備える。熱動弁２ｂ，３ｂ，４に通電すると、ヒータにより熱膨張体が加熱されて膨張することにより弁体が開弁し、熱動弁２ｂ，３ｂ，４への通電を遮断すると、ヒータによる熱膨張体の加熱が中止されて熱膨張体が収縮し弁体が閉弁する。又、本実施形態の熱動弁２ｂ，３ｂ，４は、閉弁状態から完全に開弁するまで１分の時間を要し、開弁状態から完全に閉弁するまでには４分強の時間を要するものを使用している。
【００１７】
コントローラ１７は、パネルヒータ２及び浴室暖房乾燥機３の図示省略したコントローラと通信可能に接続されており、各機器２，３の運転開始時や運転終了時に信号を受信して、各機器２，３の運転状況を把握する。そして、コントローラ１７は、何れかの機器の運転開始の信号を受信した場合に、暖房用熱源機１の暖房運転を開始し、運転終了の信号を受信することにより全てに機器の運転が終了状態となった場合には、暖房用熱源機１の暖房運転を終了する。
【００１８】
尚、コントローラ１７は、３つのパネルヒータ２のうちの何れかの運転開始の信号を受信した場合には、対応する熱動弁４に通電して、暖房用熱源機１の運転を開始する。又、全ての機器の運転が終了状態となった場合には、３つのパネルヒータ２に対応する３つの熱動弁４への通電をオフとする。
【００１９】
又、コントローラ１７は、図示省略した計時機構（タイマ）を備えると共に、点火遅延時間と所定時間とを予め記憶しており、本実施形態においては、点火遅延時間を、熱動弁２ｂ，３ｂ，４の開弁に要する時間と同一の１分に設定し、所定時間を、熱動弁２ｂ，３ｂ，４の閉弁に要する時間よりも短い時間である３分に設定している。
【００２０】
又、コントローラ１７は、パネルヒータ２の運転時には、ガス比例弁１８ｃの開度を小さくして第１暖房用循環路２１に、所定の低温、例えば６０℃の温水を供給し、浴室暖房乾燥機３の運転時には、ガス比例弁１８ｃの開度を大きくして、第２暖房用循環路３１に、所定の高温、例えば８０℃の温水を供給する。パネルヒータ２と浴室暖房乾燥機３とが同時に運転される場合には、第１暖房用循環路２１にも高温（８０℃）の温水が供給される。このとき、各パネルヒータ２は、熱動弁２ｂを繰り返し開閉させて単位時間当たりの放熱量が適切となるように調節する。
【００２１】
次に、図２を参照して、実施形態の暖房用熱源機のコントローラ１７の作動を説明する。コントローラ１７は、まず、ＳＴＥＰ１でパネルヒータ２と浴室暖房乾燥機３との少なくとも何れか一方から運転開始信号を受信したか否かをチェックする。運転開始信号を受信した場合には、ＳＴＥＰ２に進み、パネルヒータ２から運転開始信号を受信した場合には運転開始信号を送信したパネルヒータ２に対応する熱動弁４を通電オンとして開弁させると共に、ＳＴＥＰ１で運転開始信号を受信してから点火遅延時間たる１分が経過したか否かをチェックする。ＳＴＥＰ２で１分が経過したらＳＴＥＰ３に進み、バーナ１１を点火させる。本実施形態では、ＳＴＥＰ２及びＳＴＥＰ３が点火遅延制御に相当する。
【００２２】
そして、ＳＴＥＰ４で、パネルヒータ２、浴室暖房乾燥機３の何れもが運転終了状態となっているか否かをチェックする。パネルヒータ２、浴室暖房乾燥機３の何れもが運転終了状態となっている場合には、ＳＴＥＰ５に進み、全ての熱動弁４を通電オフとすると共に、ガス電磁弁１８ａ，１８ｂを閉弁して、バーナ１１を消火させる。そして、ＳＴＥＰ６に進み、パネルヒータ２、浴室暖房乾燥機３の何れもが運転終了状態となってから所定時間たる３分が経過したか否かをチェックする。
【００２３】
ＳＴＥＰ６で３分を経過していない場合には、ＳＴＥＰ７に進み、パネルヒータ２と浴室暖房乾燥機３との少なくとも何れか一方から運転開始信号を受信したか否かをチェックする。ＳＴＥＰ７で運転開始信号を受信した場合には、ＳＴＥＰ３に戻り、ＳＴＥＰ２の１分間の点火遅延時間を待つことなく直ちに点火処理を実行する。即ち、本実施形態においては、ＳＴＥＰ６，７，３が即時点火制御に相当する。ＳＴＥＰ７で運転開始信号を受信していない場合には、ＳＴＥＰ６に戻り、３分が経過したか否かをチェックする。ＳＴＥＰ６で３分が経過した場合には、今回の処理を終了する。
【００２４】
実施形態の暖房用熱源機１によれば、コントローラ１７は、暖房運転開始から熱動弁２ｂ，３ｂ，４が実際に開弁状態となるまでの点火遅延時間たる１分を経過した後にバーナを点火させる点火遅延制御（ＳＴＥＰ２，３）を実行する。これにより、バイパス路１６等の詰りなどにより機内循環量が小さい場合であっても、熱媒体が第１暖房用循環路２１又は第２暖房循環路３１を循環できる状態となってからバーナが点火されるため、熱媒体が沸騰することによる騒音の発生や熱交換器等の部品が高温状態となることによる耐久性の低下を防止することができる。
【００２５】
又、コントローラ１７は、暖房運転終了から所定時間たる３分が経過するまでの間に暖房運転が再開される場合には、即時点火制御（ＳＴＥＰ６，７，３）を実行する。熱動弁２ｂ，３ｂ，４は完全に閉弁するまで４分強の時間を要するため、暖房運転終了から所定時間たる３分が経過するまでは熱動弁２ｂ，３ｂ，４は完全に閉弁されていない状態にある。
【００２６】
このため、そのままバーナ１１を点火しても熱媒体の循環流量を循環路２１，３１である程度確保でき、熱媒体の沸騰による騒音の発生や熱交換器等の機器が高温状態となることによる耐久性の低下を防止できる。そして、暖房運転を開始する度に点火遅延制御を実行するものと比較して、所定時間たる３分以内に運転を再開する場合には直ちにバーナ１１が点火されて迅速な暖房を行うことができ、利便性を向上させることができる。
【００２７】
尚、上記実施形態においては、暖房機としてパネルヒータ２と浴室暖房乾燥機３とを備える暖房システムＳに用いられる暖房用熱源機１を説明したが、暖房機として、パネルヒータ２又は浴室暖房乾燥機３のみを備える暖房システムＳ、パネルヒータ２と浴室暖房乾燥機３以外に、床暖房等の他の暖房機を備える暖房システムＳにも、同様に本発明を適用することができる。
【００２８】
又、上記実施形態においては、点火遅延時間を１分、所定時間を３分に設定したものを説明したが、点火遅延時間及び所定時間は上記の設定に限られるものではなく、熱動弁の開閉時間に基づいて適宜変更することができる。又、上記実施形態においては、点火遅延時間を熱動弁の開弁に要する時間と同一の時間に設定したものを説明したが、これに限られるものではなく、例えば、熱動弁の開弁に要する時間よりも短く設定してもよい。点火遅延時間を熱動弁の開弁に要する時間よりも短くする場合には、熱動弁の開度が、バイパス路１６の詰まり等により機内循環量が小さい場合であっても、暖房循環路２１，３１により適切な循環流量を確保できる開度となるように、点火遅延時間を設定すればよい。
【符号の説明】
【００２９】
１…暖房用熱源機、１１…バーナ、１２…熱交換器、１３…水温センサ、１４…循環ポンプ、１５…膨張タンク、１６…バイパス路、１７…コントローラ、１８…ガス供給管、１８ａ，１８ｂ…ガス電磁弁、１８ｃ…ガス比例弁、１９…燃焼ファン、
２…パネルヒータ（暖房機）、２ａ…放熱器、２ｂ…熱動弁、２１…第１暖房用循環路、
３…浴室暖房乾燥機（暖房機）、３ａ…放熱器、３ｂ…熱動弁、３１…第２暖房用循環路、
４…熱動弁、
Ｓ…暖房システム。
【図１】
2010281520.tif 000003
【図２】
2010281520.tif 000004